(57)【要約】【課題】    冷媒を直接患部の異常組織に接触させることなく該異常組織を壊死させることが可能な冷凍治療装置を提供する。【解決手段】  冷媒３を溜められるタンク２１、及びその冷媒がタンク２１に出入りするための供給口を有するバレル２と、一端部４３がバレル２内に冷媒３と接触できるよう差込まれると共にバレル２外に延出する他端側４５，４４が断熱スリーブ７，７Ａにより被覆され更に先端４４が冷凍端部として断熱スリーブ７，７Ａより露出する、中空の熱伝導針手段４とを備えてなり、前記熱伝導針手段４は、その中空部が全長に亘って熱伝導材でライニングされる。【選択図】    図２
2005080988.tif 000002
【特許請求の範囲】
【請求項１】
冷媒（３）を溜められるタンク（２１）、及びその冷媒がタンク（２１）に出入りするための供給口を有するバレル（２）と、
一端部（４３）がバレル（２）内に冷媒（３）と接触できるよう差込まれると共にバレル（２）外に延出する他端側（４５，４４）が断熱スリーブ（７，７Ａ）により被覆され更に先端（４４）が冷凍端部として断熱スリーブ（７，７Ａ）より露出する、中空の熱伝導針手段（４）とを備えてなり、
前記熱伝導針手段（４）は、その中空部が全長に亘って熱伝導材でライニングされることを特徴とする、冷凍治療装置。
【請求項２】
前記熱伝導針手段（４）は、管状中空体（４０）と、熱伝導材により前記中空体（４０）の内周面に熱交換をする熱伝導ライニングとして形成されている伝導層（４２）とを有しており、
前記熱伝導針手段（４）の前記バレル（２）内に差込まれた前記一端部は、前記冷媒（３）と接触する接触端部（４３）とされ、また同熱伝導針手段（４）の前記断熱スリーブ（７，７Ａ）より露出した先端は、先端面が斜面とされた針先部（４４）とされることを特徴とする、請求項１に記載の冷凍治療装置。
【請求項３】
前記断熱スリーブ（７Ａ）が、前記熱伝導針手段（４）の中空体（４０）周りに真空室（８）を画成するように設けられていることを特徴とする、請求項２に記載の冷凍治療装置。
【請求項４】
前記熱伝導針手段（４）はさらに、前記接触端部（４３）と前記針先部（４４）との間に、前記バレル（２）外に延出した断熱中間部（４５）を有していることを特徴とする、請求項２に記載の冷凍治療装置。
【請求項５】
前記断熱スリーブ（７，７Ａ）が、前記断熱中間部（４５）にその外周面を被覆するように設けられていることを特徴とする、請求項４に記載の冷凍治療装置。
【請求項６】
前記冷媒（３）は、液体窒素であることを特徴とする、請求項１に記載の冷凍治療装置。
【請求項７】
前記熱伝導針手段（４）の中空体（４０）は、銅及びアルミニウムうちのいずれかにより形成されることを特徴とする、請求項２に記載の冷凍治療装置。
【請求項８】
前記熱伝導層（４２）は、前記中空体（４０）に導入した前記熱伝導材を真空蒸着法により該中空体（４０）の内周面に蒸着して形成されていることを特徴とする、請求項７に記載の冷凍治療装置。
【請求項９】
冷凍治療装置（１，１Ａ）に使用される熱伝導針手段（４）であって、
熱伝導材によって形成される中空体（４０）と、
熱伝導材により前記中空体（４０）の内周面に熱交換をする熱伝導ライニングとして設けられる伝導層（４２）とを有していることを特徴とする、熱伝導針手段。
【請求項１０】
前記伝導層（４２）は、前記中空体（４０）に導入した前記熱伝導材を真空蒸着法によって該中空体（４０）の内周面に蒸着して形成されていることを特徴とする、請求項９に記載の熱伝導針手段。
【発明の詳細な説明】
【技術分野】
【０００１】
本発明は、冷凍治療装置及び熱伝導針手段に関し、さらに詳しくは、異常組織が生じた患部に差込んで、低温冷媒を介して組織を凍傷させ壊死に至らせる冷凍治療装置及び熱伝導針手段に関する。
【背景技術】
【０００２】
従来の冷凍治療法としては、異常組織例えば癌組織を破壊するため、超低温の冷媒を注入する方法がある。冷凍治療にあたって、注射器を患部に挿入し、次いで低温液体窒素を冷媒として該注射器内を通って直接注入されることによって冷媒と該異常組織が接触して壊死させるようにしたものが知られている。
【発明の開示】
【発明が解決しようとする課題】
【０００３】
上記従来のように注射器を使って液体窒素が直接、前記患者の患部に接触するため、前記患部で窒素は沸騰気化したりして患部とその近傍に悪影響をもたらす恐れがある。
【０００４】
本発明は、冷媒を直接患部の異常組織に接触させることなく該異常組織を壊死させることが可能な冷凍治療装置及び熱伝導針手段を提供することを主なる目的とする。
【課題を解決するための手段】
【０００５】
上記目的を達成するために、請求項１の発明によれば、冷媒を溜められるタンク、及びその冷媒がタンクに出入りするための供給口を有するバレルと、一端部がバレル内に冷媒と接触できるよう差込まれると共にバレル外に延出する他端側が断熱スリーブにより被覆され更に先端が冷凍端部として断熱スリーブより露出する、中空の熱伝導針手段とを備えてなり、前記熱伝導針手段は、その中空部が全長に亘って熱伝導材でライニングされることを特徴とする冷凍治療装置が提供される。
【０００６】
また請求項２の発明によれば、請求項１の発明の構成に加えて、前記熱伝導針手段は、管状中空体と、熱伝導材により前記中空体の内周面に熱交換をする熱伝導ライニングとして形成されている伝導層とを有しており、前記熱伝導針手段の前記バレル内に差込まれた前記一端部は、前記冷媒と接触する接触端部とされ、また同熱伝導針手段の前記断熱スリーブより露出した先端は、先端面が斜面とされた針先部とされる冷凍治療装置が提供され、また請求項３の発明によれば、請求項２の発明の構成に加えて、前記断熱スリーブが、前記熱伝導針手段の中空体周りに真空室を画成するように設けられている冷凍治療装置が提供され、更に請求項４の発明によれば、請求項２の発明の構成に加えて、前記熱伝導針手段はさらに、前記接触端部と前記針先部との間に、前記バレル外に延出した断熱中間部を有している冷凍治療装置が提供され、更に請求項５の発明によれば、請求項４の発明の構成に加えて、前記断熱スリーブが、前記断熱中間部にその外周面を被覆するように設けられている冷凍治療装置が提供され、更に請求項６の発明によれば、請求項１の発明の構成に加えて、前記冷媒が液体窒素である冷凍治療装置が提供され、更に請求項７の発明によれば、請求項２の発明の構成に加えて、前記熱伝導針手段の中空体が、銅及びアルミニウムうちのいずれかにより形成される冷凍治療装置が提供され、更に請求項８の発明によれば、請求項７の発明の構成に加えて、前記熱伝導層は、前記中空体に導入した前記熱伝導材を真空蒸着法により該中空体の内周面に蒸着して形成されている冷凍治療装置が提供される。
【０００７】
本発明の他の観点によれば、さらに前記冷凍治療装置に使用される熱伝導針手段が提供され、即ち請求項９の発明によれば、冷凍治療装置に使用される熱伝導針手段であって、熱伝導材によって形成される中空体と、熱伝導材により前記中空体の内周面に熱交換をする熱伝導ライニングとして設けられる伝導層とを有していることを特徴とする熱伝導針手段が提供され、また請求項１０の発明によれば、請求項９の発明の構成に加えて、前記伝導層が、前記中空体に導入した前記熱伝導材を真空蒸着法によって該中空体の内周面に蒸着して形成されている熱伝導針手段が提供される。
【発明の効果】
【０００８】
以上のように本発明の冷凍治療装置又は熱伝導針手段によれば、冷媒を直接患部の異常組織に送り込まないので、冷媒を直接患部の異常組織に流して接触させることなく（従って冷媒による悪影響の恐れを生じさせることなく）、該異常組織を、壊死するまで有効に凍らせることができる。
【発明を実施するための最良の形態】
【０００９】
以下、本発明の実施の形態を、添付図面に例示した本発明の実施例に基づいて以下に具体的に説明する。
【００１０】
図１は、本発明の冷凍治療装置の第１の実施例を概略示す斜視図である。図２は、該実施例の要部断面図である。
【００１１】
図１及び図２を参照すると、本発明による第１の実施例の冷凍治療装置１は、概ねバレル２と、そのバレル２内に一端が差込まれて該バレル２の一端に連結されている熱伝導針手段４と、前記バレル２の他端と連結されて冷媒３を前記バレル２内に送る輸送管５と、前記バレル２に設けられて、前記冷媒が前記バレル２内へ流れる速度を制御するための制御バルブ６を備えている。前記熱伝導針手段４は、それのバレル２内に差込まれた前記一端部が、前記冷媒３と接触する接触端部４３とされ、また同熱伝導針手段４の、後述する断熱スリーブ７より露出した先端が、先端面を斜面状とした針先部４４とされる。
【００１２】
前記バレル２は、冷媒３を溜めるタンク２１と、このタンク２１に冷媒３を出入させるための冷媒の供給口（図示せず）を有している。この例においては、冷媒３として液体窒素を使う。
【００１３】
前記熱伝導針手段４は、管状中空体４０と、熱伝導材により前記中空体４０の内周面に有効に熱交換をする熱伝導ライニングとして形成されている伝導層４２とを有しており、前記バレル２内の冷媒３と接触して伝導層４２を介して急速に熱交換をし、前記針先部４４の熱を冷ます。
【００１４】
前記熱伝導針手段４はさらに、前記接触端部４３と前記針先部４４との間に、バレル２外に延出した断熱中間部４５を有する。前記熱伝導針手段４の断熱中間部４５には、断熱スリーブ７が周設、即ちその外周面を被覆するように設けられている。その断熱スリーブ７は前記バレル２の一端と連続し、且つ該スリーブ７の一端に前記針先部４４が突出されている。前記断熱スリーブ７は、例えば強化ガラス或いは他の断熱材料など適当な材料により形成される。
【００１５】
また、前記熱伝導針手段４の中空体４０は、例えばアルミニウム、銅或いは合金又は他の熱伝導性が非常によい材料により形成される。なお、前記中空体４０の内周面はよく濡れるよう（即ち濡れ性を高めるよう）洗浄及び乾燥する不動態化処理を施してある。そして、前記伝導層４２は、例えば、前記中空体４０に熱伝導材が注入又は充填されてから真空状に密閉され、真空蒸着法により、熱伝導性が良好な熱伝導材を該中空体４０の内周面に蒸着して形成される。
【００１６】
なお、前記熱伝導材としては、少なくとも過酸化ナトリウム、酸化ナトリウム、酸化ベリリウム、セスキ酸化マンガン、重クロム酸アルミニウム、重クロム酸カルシウム、酸化ホウ素、重クロム酸イオンのいずれか又はそれらを組合わせた化合物、少なくとも酸化コバルト、セスキ酸化マンガン、酸化ベリリウム、クロム酸ストロンチウム、炭酸ストロンチウム、酸化ロジウム、酸化銅、β−チタン、重クロム酸カリウム、酸化ホウ素、重クロム酸カルシウム、重クロム酸マンガン、重クロム酸アルミニウム、重クロム酸化イオンのいずれか又はそれらを組合わせた化合物、或いは、少なくとも変性酸化ロジウム、重クロム酸カリウム、変性酸化ラジウム、重クロム酸ナトリウム、重クロム酸銀、単結晶珪素、酸化ベリリウム、クロム酸ストロンチウム、酸化ホウ素、過酸化ナトリウム、β−チタン、金属重クロム酸塩のいずれか又はそれらを組合わせた化合物が用いられる。
【００１７】
以上の構成により、前記冷凍治療装置１を使う場合には、先ず、外部の検出装置例えば超音波検出器を使って該針先部４４の差込深さを監視しながら所要な差込深さになるまで挿入し、異常組織が所在する患部に前記熱伝導針手段４の針先部４４を差込む。そして、前記輸送管５を通じ前記バルブ６によって冷媒をその量を制御しながら、前記タンク２１内において前記熱伝導針手段４の接触端部４３の周囲に供給して、前記中空体４０の伝導層４２によって熱交換を行わせ、前記中空体４０の温度を降下させ、冷媒を直接患部に入れることなく該患部の異常組織を壊死するまで凍らせることができる。
【００１８】
本発明の第２の実施例の冷凍治療装置１Ａは、図３を参照すると、断熱スリーブ７Ａが．前記針手段４の中空体４０回りに真空室８を画成するように間隔をおいて断熱中間部４５に周設、即ちその外周面を被覆するように設けられれることを除き、他の構成は前記第１の実施例と同様である。
【００１９】
当該第２の実施例の冷凍治療装置１Ａを使うと、同じく冷媒を直接患部に入れることなく該患部の異常組織を凍らせ壊死させることができ、前記断熱スリーブ７Ａは、より断熱効果が向上されるので、前記第１の実施例と同様な効果をより操作性よく得られる。
【００２０】
而して前記実施例によれば、冷媒を直接患部の異常組織に送り込まないので、冷媒による悪影響の恐れがなく、有効に該異常組織を壊死するまで凍らせことができる。
【図面の簡単な説明】
【００２１】
【図１】本発明の冷凍治療装置の第１の実施例を概略示す斜視図。
【図２】該実施例の要部断面図。
【図３】本発明の冷凍治療装置の第２の実施例の要部を概略示す断面図。
【符号の説明】
【００２２】
１・・・冷凍治療装置
２・・・バレル
２１・・・タンク
３・・・冷媒
４・・・熱伝導針手段
４０・・・中空体
４２・・・伝導層
４３・・・接触端部（一端部）
４４・・・針先部（冷凍端部）
４５・・・中間部
５・・・輸送管
６・・・制御バルブ
７，７Ａ・・・断熱スリーブ
８・・・真空室
【図１】
2005080988.tif 000003
【図２】
2005080988.tif 000004
【図３】
2005080988.tif 000005